(57)【特許請求の範囲】
【請求項１】
対話型アプリケーションのトリガー方法であって、ウェアラブルデバイスに応用され、
マルチメディアビデオに対応する各対話型アプリケーションのインタラクティブ情報を取得することと、
ユーザー状態パラメータを監視することと、
前記ユーザー状態パラメータと受信された予め設定された条件に基づいて、現在の再生時点に対応する対話型アプリケーションをトリガーするかどうかを判断することと、
前記判断結果がトリガーすると確定されると、前記現在の再生時点に対応する対話型アプリケーションのインタラクティブ情報に基づいて、ユーザーが対応する対話型アプリケーションを実行するように提示するための第１リマインディング情報を生成することと、を含み、
前記各対話型アプリケーションは、前記マルチメディアビデオの異なる再生時点にそれぞれ対応し、
前記ユーザー状態パラメータは、前記現在時点で再生されているマルチメディアビデオに対するユーザーの関心度を示すために用いられる、前記対話型アプリケーションのトリガー方法。
【請求項２】
前記ユーザー状態パラメータを監視することは、
第１監視命令を受信し、前記第１監視命令に基づいて、前記ユーザー状態パラメータを監視すること、
又は、
第２監視命令を受信し、前記第２監視命令に基づいて、前記ユーザー状態パラメータを監視することを含み、
前記第１監視命令は、マルチメディアビデオ再生過程においてユーザー状態パラメータをリアルタイムに監視するように前記ウェアラブルデバイスに通知するために用いられ、
前記第２監視命令は、予め設定された時間帯においてユーザー状態パラメータを監視するように前記ウェアラブルデバイスに通知するために用いられる
請求項１に記載の方法。
【請求項３】
前記ユーザー状態パラメータと受信された予め設定された条件に基づいて、現在の再生時点に対応する対話型アプリケーションをトリガーするかどうかを判断することは、
前記予め設定された条件に基づいて、監視された前記ユーザー状態パラメータを解析することと、
前記ユーザー状態パラメータによって示されるマルチメディアビデオに対するユーザーの関心度が既定値以上であると確定された場合、前記現在の再生時点に対応する対話型アプリケーションをトリガーすることと、
前記ユーザー状態パラメータによって示されるマルチメディアビデオに対するユーザーの関心度が既定値未満であると確定された場合、前記マルチメディアビデオの再生が完了するまでユーザー状態パラメータを継続して監視することと、を含む
請求項１に記載の方法。
【請求項４】
前記現在の再生時点に対応する対話型アプリケーションのインタラクティブ情報に基づいて、第１リマインディング情報を生成することは、
現在の再生時点を確定することと、
前記取得された各対話型アプリケーションのインタラクティブ情報から、当該再生時点に対応する対話型アプリケーションのインタラクティブ情報を確定することと、
前記インタラクティブ情報に基づいて第１リマインディング情報を生成し、前記第１リマインディング情報が前記ウェアラブルデバイスの表示インターフェースに表示されることと、を含む
請求項１に記載の方法。
【請求項５】
対話型アプリケーションのトリガー方法であって、マルチメディアビデオ再生デバイスに応用され、
マルチメディアビデオに対応する各対話型アプリケーションのインタラクティブ情報を送信することと、
ユーザー状態パラメータに対応する予め設定された条件を送信することと、
現在の再生時点に対応する対話型アプリケーションの識別子を受信することと、
前記識別子に対応する対話型アプリケーションのインタラクティブ情報に基づいて、対応する対話型アプリケーションを実行するようにユーザーに提示するための第２リマインディング情報を生成することと、を含み、
前記各対話型アプリケーションは、前記マルチメディアビデオの異なる再生時点にそれぞれ対応し、
前記予め設定された条件は、ウェアラブルデバイスが自分の測定により得られた前記ユーザー状態パラメータに基づいて、現在の再生時点に対応する対話型アプリケーションをトリガーするかどうかを判断するために用いられ、
前記ユーザー状態パラメータは、現在時点で再生されているマルチメディアビデオに対するユーザーの関心度を示すために用いられ、
前記識別子は、前記ウェアラブルデバイスが前記対話型アプリケーションをトリガーすると判定した場合に送信されるものである、前記対話型アプリケーションのトリガー方法。
【請求項６】
前記識別子に対応する対話型アプリケーションのインタラクティブ情報に基づいて、第２リマインディング情報を生成することは、
前記識別子に対応する対話型アプリケーションのインタラクティブ情報を確定することと、
前記インタラクティブ情報に基づいて第２リマインディング情報を生成し、前記第２リマインディング情報が前記マルチメディアビデオ再生デバイスの表示インタフェースに表示されることと、を含む
請求項５に記載の方法。
【請求項７】
ウェアラブルデバイスであって、
マルチメディアビデオに対応する各対話型アプリケーションのインタラクティブ情報を取得するように構成される取得モジュールと、
ユーザー状態パラメータを監視するように構成される監視モジュールと、
前記ユーザー状態パラメータと受信された予め設定された条件に基づいて、現在の再生時点に対応する対話型アプリケーションをトリガーするかどうかを判断するように構成される判断モジュールと、
前記判断結果がトリガーすると確定されると、前記現在の再生時点に対応する対話型アプリケーションのインタラクティブ情報に基づいて、ユーザーが対応する対話型アプリケーションを実行するように提示するための第１リマインディング情報を生成するように構成される第１リマインディングモジュールと、を含み、
前記各対話型アプリケーションは、前記マルチメディアビデオの異なる再生時点にそれぞれ対応し、
前記ユーザー状態パラメータは、現在時点で再生されているマルチメディアビデオに対するユーザーの関心度を示すために用いられる、前記ウェアラブルデバイス。
【請求項８】
前記監視モジュールは、受信ユニットおよび監視ユニットを含み、
前記受信ユニットは、第１監視命令を受信し、又は第２監視命令を受信するように構成され、
前記第１監視命令は、マルチメディアビデオ再生過程においてユーザー状態パラメータをリアルタイムに監視するように前記ウェアラブルデバイスに通知するために用いられ、前記第２監視命令は、予め設定された時間帯においてユーザー状態パラメータを監視するように前記ウェアラブルデバイスに通知するために用いられ、
前記監視ユニットは、前記第１監視命令に基づいて前記ユーザー状態パラメータを監視し、又は前記第２監視命令に基づいて前記ユーザー状態パラメータを監視するように構成される
請求項７に記載のウェアラブルデバイス。
【請求項９】
前記判断モジュールは、解析ユニットおよび判定ユニットを含み、
前記解析ユニットは、前記予め設定された条件に基づいて、監視された前記ユーザー状態パラメータを解析するように構成され、
前記判定ユニットは、前記ユーザー状態パラメータによって示されるマルチメディアビデオに対するユーザーの関心度が既定値以上であると確定された場合、前記現在の再生時点に対応する対話型アプリケーションをトリガーし、前記ユーザー状態パラメータによって示されるマルチメディアビデオに対するユーザーの関心度が既定値未満であると確定された場合、前記マルチメディアビデオの再生が完了するまでユーザー状態パラメータを継続して監視するように構成される
請求項７に記載のウェアラブルデバイス
【請求項１０】
前記第１リマインディングモジュールは、第１確定ユニットおよび第１生成ユニットを含み
前記第１確定ユニットは、現在の再生時点を確定し、前記取得された各対話型アプリケーションのインタラクティブ情報から、当該再生時点に対応する対話型アプリケーションのインタラクティブ情報を確定するように構成され、
前記第１生成ユニットは、前記インタラクティブ情報に基づいて第１リマインディング情報を生成するように構成され、前記第１リマインディング情報が前記ウェアラブルデバイスの表示インターフェースに表示される
請求項７に記載のウェアラブルデバイス
【請求項１１】
マルチメディアビデオ再生デバイスであって、
マルチメディアビデオに対応する各対話型アプリケーションのインタラクティブ情報を送信し、ユーザー状態パラメータに対応する予め設定された条件を送信するように構成される送信モジュールと、
現在の再生時点に対応する対話型アプリケーションの識別子を受信するように構成される受信モジュールと、
前記識別子に対応する対話型アプリケーションのインタラクティブ情報に基づいて、対応する対話型アプリケーションを実行するようにユーザーに提示するための第２リマインディング情報を生成するように構成される第２リマインディングモジュールとを含み、
前記各対話型アプリケーションは、前記マルチメディアビデオの異なる再生時点にそれぞれ対応し、
前記予め設定された条件は、ウェアラブルデバイスが自分の測定により得られた前記ユーザー状態パラメータに基づいて、現在の再生時点に対応する対話型アプリケーションをトリガーするかどうかを判断するために用いられ、
前記ユーザー状態パラメータは、現在時点で再生されているマルチメディアビデオに対するユーザーの関心度を示すために用いられ、
前記識別子は、前記ウェアラブルデバイスが前記対話型アプリケーションをトリガーすると判定した場合に送信されるものである、前記マルチメディアビデオ再生デバイス。
【請求項１２】
前記第２リマインディングモジュールは、第２確定ユニットおよび第２生成ユニットを含み、
前記第２確定ユニットは、前記識別子に対応する対話型アプリケーションのインタラクティブ情報を確定するように構成され、
前記第２生成ユニットは、前記インタラクティブ情報に基づいて第２リマインディング情報を生成するように構成され、前記第２リマインディング情報が前記マルチメディアビデオ再生デバイスの表示インタフェースに表示される
請求項１１に記載のマルチメディアビデオ再生デバイス。
【発明の詳細な説明】
【関連出願の参照】
【０００１】
本願は、２０１５年１０月３０日に中国で出願した中国特許出願第２０１５１０７２８０１４．Ｘの優先権を主張し、その内容の全部は援用されてここに含まれる。
【技術分野】
【０００２】
本発明は、通信分野におけるビデオインタラクション技術に関し、特に対話型アプリケーション（ｉｎｔｅｒａｃｔｉｖｅ  ａｐｐｌｉｃａｔｉｏｎ）のトリガー方法及びデバイスに関する。
【背景技術】
【０００３】
従来技術において、ビデオインタラクションは、スマートテレビ及びインテリジェントセットトップボックスの付加価値サービスである。ビデオインタラクションにおけるインタラクティブ情報（Ｉｎｔｅｒａｃｔｉｖｅ  ｉｎｆｏｒｍａｔｉｏｎ）は、ビデオ内の俳優の衣類及び／又は歌の着メロ等であってもよい。インタラクティブ情報は、通常にアイコンまたは文字の方式でビデオページに重畳され、この時にビデオコンテンツに関連するインタラクティブなコンテンツが操作可能であることをユーザーに知らせる。しかしながら、ビデオに頻繁に重畳されて現れるインタラクティブなリマインディングや文字は、ユーザーのビデオ視聴の体験に影響を与える。また、多くの人が一緒にビデオを視聴する場合、人々の興味のあるインタラクティブなコンテンツが異なるため、例えば、ユーザーＡが特定のインタラクティブなコンテンツに興味があるが、ユーザーＢが興味なく、この時にユーザーＡがインタラクティブな操作を行う場合、他のユーザーの視聴の体験に影響を与える可能性がある。
【発明の概要】
【発明が解決しようとする課題】
【０００４】
本開示の実施例は、従来技術における課題を解決するために、対話型アプリケーションのトリガー方法及びデバイスを提供する。
【課題を解決するための手段】
【０００５】
本開示の実施例は、対話型アプリケーションのトリガー方法を提供してウェアラブルデバイスに応用し、当該方法は、
マルチメディアビデオに対応する各対話型アプリケーションのインタラクティブ情報（Ｉｎｔｅｒａｃｔｉｖｅ  ｉｎｆｏｒｍａｔｉｏｎ）を取得することと、
ユーザー状態パラメータを監視することと、
前記ユーザー状態パラメータと受信された予め設定された条件に基づいて、前記現在の再生時点に対応する対話型アプリケーションをトリガーするかどうかを判断することと、
前記判断結果がトリガーすると確定されると、前記現在の再生時点に対応する対話型アプリケーションのインタラクティブ情報に基づいて、ユーザーが対応する対話型アプリケーションを実行するようにユーザーに提示するための第１リマインディング情報を生成することと、を含み、
ここで、前記各対話型アプリケーションは、前記マルチメディアビデオの異なる再生時点にそれぞれ対応し、前記ユーザー状態パラメータは、現在時点で再生されているマルチメディアビデオに対するユーザーの関心度を示すために用いられる。
【０００６】
本開示の実施例は、また、対話型アプリケーションのトリガー方法を提供してマルチメディアビデオ再生デバイスに応用し、当該方法は、
マルチメディアビデオに対応する各対話型アプリケーションのインタラクティブ情報を送信することと、
ユーザー状態パラメータに対応する予め設定された条件を送信することと、
現在の再生時点に対応する対話型アプリケーションの識別子を受信することと、
前記識別子に対応する対話型アプリケーションのインタラクティブ情報に基づいて、対応する対話型アプリケーションを実行するようにユーザーに提示するための第２リマインディング情報を生成することと、を含み、
ここで、前記各対話型アプリケーションは、前記マルチメディアビデオの異なる再生時点にそれぞれ対応し、前記予め設定された条件は、ウェアラブルデバイスが自分の測定により得られた前記ユーザー状態パラメータに基づいて、現在の再生時点に対応する対話型アプリケーションをトリガーするかどうかを判断するために用いられ、前記ユーザー状態パラメータは、現在時点で再生されているマルチメディアビデオに対するユーザーの関心度を示すために用いられ、前記識別子は、前記ウェアラブルデバイスが前記対話型アプリケーションをトリガーすると判定した場合に送信されるものである。
【０００７】
本開示の実施例は、また、ウェアラブルデバイスを提供し、当該ウェアラブルデバイスは、取得モジュール、監視モジュール、判断モジュール及び第１リマインディングモジュールを含み、
取得モジュールは、マルチメディアビデオに対応する各対話型アプリケーションのインタラクティブ情報を取得するように構成され、前記各対話型アプリケーションは、前記マルチメディアビデオの異なる再生時点にそれぞれ対応し、
監視モジュールは、ユーザー状態パラメータを監視するように構成され、前記ユーザー状態パラメータは、現在時点で再生されているマルチメディアビデオに対するユーザーの関心度を示すために用いられ、
判断モジュールは、前記ユーザー状態パラメータと受信された予め設定された条件に基づいて、前記現在の再生時点に対応する対話型アプリケーションをトリガーするかどうかを判断するように構成され、
第１リマインディングモジュールは、前記判断結果がトリガーすると確定されると、前記現在の再生時点に対応する対話型アプリケーションのインタラクティブ情報に基づいて、ユーザーが対応する対話型アプリケーションを実行するように提示するための第１リマインディング情報を生成するように構成される。
【０００８】
本開示の実施例は、また、マルチメディアビデオ再生デバイスを提供し、前記デバイスは、送信モジュール、受信モジュール及び第２リマインディングモジュールを含み、
送信モジュールは、マルチメディアビデオに対応する各対話型アプリケーションのインタラクティブ情報を送信し、ユーザー状態パラメータに対応する予め設定された条件を送信するように構成され、前記各対話型アプリケーションは、前記マルチメディアビデオの異なる再生時点にそれぞれ対応し、
ここで、前記予め設定された条件は、ウェアラブルデバイスが自分の測定により得られた前記ユーザー状態パラメータに基づいて、現在の再生時点に対応する対話型アプリケーションをトリガーするかどうかを判断するために用いられ、前記ユーザー状態パラメータは、現在時点で再生されているマルチメディアビデオに対するユーザーの関心度を示すために用いられ、
受信モジュールは、現在の再生時点に対応する対話型アプリケーションの識別子を受信するように構成され、
第２リマインディングモジュールは、前記識別子に対応する対話型アプリケーションのインタラクティブ情報に基づいて、対応する対話型アプリケーションを実行するようにユーザーに提示するための第２リマインディング情報を生成するように構成され、前記識別子は、前記ウェアラブルデバイスが前記対話型アプリケーションをトリガーすると判定した場合に送信されるものである。
【０００９】
本開示の実施例における対話型アプリケーションのトリガー方法及びデバイスによって、ウェアラブルデバイスは、マルチメディアビデオに対応する各対話型アプリケーションのインタラクティブ情報を取得し、前記各対話型アプリケーションは、前記マルチメディアビデオの異なる再生時点にそれぞれ対応し、ユーザー状態パラメータを監視し、前記ユーザー状態パラメータは、現在時点で再生されているマルチメディアビデオに対するユーザーの関心度を示すために用いられ、前記ユーザー状態パラメータと受信された予め設定された条件に基づいて、前記現在の再生時点に対応する対話型アプリケーションをトリガーするかどうかを判断し、前記判断結果がトリガーすると確定されると、前記現在の再生時点に対応する対話型アプリケーションのインタラクティブ情報に基づいて、リマインディング情報を生成して、対応する対話型アプリケーションを実行するようにユーザーに提示する。本開示の実施例において、ウェアラブルデバイスは、ユーザーがマルチメディアビデオを視聴する時のユーザー状態パラメータを監視し、ユーザー状態パラメータが予め設定された条件を満たす場合、前記マルチメディアビデオに対応する対話型アプリケーションを当該ユーザーに提示し、インタラクティブなリマインディング又は文字が頻繁に現れてユーザーのビデオの視聴過程に影響を与えることを回避することができ、当然、インタラクティブなコンテンツに興味がないその他のユーザーへの影響も低減させる。
【００１０】
なお、本開示の実施例において、前記ウェアラブルデバイスがネットワーク側のプラットフォームやマルチメディアビデオ再生デバイスと頻繁に通信してユーザー状態パラメータを伝送する必要がなく、ウェアラブルデバイスによって対話型アプリケーションをトリガーするかどうかを決定することで、ウェアラブルデバイスの消費電力を低減することができる。
【図面の簡単な説明】
【００１１】
【図１】本開示の実施例による対話型アプリケーションのトリガー方法のフォローチャート１である。
【図２】本開示の実施例による対話型アプリケーションのトリガー方法ののフォローチャート２である。
【図３】本開示の実施例によるウェアラブルデバイスの構成図である。
【図４】本開示の実施例によるウェアラブルデバイスにおける監視モジュールの構成図である。
【図５】本開示の実施例によるウェアラブルデバイスにおける判断モジュールの構成図である。
【図６】本開示の実施例によるウェアラブルデバイスにおける第１リマインディングモジュールの構成図である。
【図７】本開示の実施例によるマルチメディアビデオ再生デバイスの構成図である。
【図８】本開示の実施例によるマルチメディアビデオ再生デバイスにおける第２リマインディングモジュールの構成図である。
【図９】本開示の１つの応用シーンにおける対話型アプリケーションのトリガー方法のフォローチャートである。
【発明を実施するための形態】
【００１２】
本開示の実施例に係る技術案をより明確に説明するために、実施例の説明に使用する必要がある図面を簡単に紹介する。明らかに、以下に説明される図面は、本開示に記載された一部の実施例に過ぎず、当業者であれば、創造的な作業をせずに、これらの図面に基づいて他の図面をさらに得ることができる。次の図は、実際のサイズに応じて意図的に等しく縮尺されたものではなく、本開示の主な要旨を示すためのものである。
【００１３】
以下、本開示のいくつかの実施例の図面に基づいて、本開示のいくつかの実施例に係る技術案を明確、完全に説明する。記載された実施例は本開示の一部の実施例のみであり、すべての実施例でないことは明らかである。当業者が本開示の実施例に基づいて創造的な仕事をせずに得られた実施例も、本開示の保護範囲に含まれる。
【００１４】
本開示の実施例において、ウェアラブルデバイスは、マルチメディアビデオに対応する各対話型アプリケーションのインタラクティブ情報を取得し、前記各対話型アプリケーションは、前記マルチメディアビデオの異なる再生時点にそれぞれ対応し、ユーザー状態パラメータを監視し、前記ユーザー状態パラメータは、現在時点で再生されているマルチメディアビデオに対するユーザーの関心度を示すために用いられ、前記ユーザー状態パラメータと受信された予め設定された条件に基づいて、前記現在の再生時点に対応する対話型アプリケーションをトリガーするかどうかを判断し、前記判断結果がトリガーすると確定されると、前記現在の再生時点に対応する対話型アプリケーションのインタラクティブ情報に基づいて、対応する対話型アプリケーションを実行するようにユーザーに提示するためのリマインディング情報を生成する。
【００１５】
以下、図面及び具体的な実施例によって本開示を詳しく説明する。
【００１６】
図１は本開示の実施例による対話型アプリケーションのトリガー方法のフローチャートであり、図１のように、当該方法がウェアラブルデバイスに応用され、ステップ１０１〜ステップ１０４を含む。
【００１７】
ステップ１０１において、マルチメディアビデオに対応する各対話型アプリケーションのインタラクティブ情報を取得し、前記各対話型アプリケーションは、前記マルチメディアビデオの異なる再生時点にそれぞれ対応する。
【００１８】
ステップ１０２において、ユーザー状態パラメータを監視し、前記ユーザー状態パラメータは、現在時点で再生されているマルチメディアビデオに対するユーザーの関心度を示すために用いられる。
【００１９】
ステップ１０３において、前記ユーザー状態パラメータおよび受信された予め設定された条件に基づいて、前記現在の再生時点に対応する対話型アプリケーションをトリガーするかどうかを判断する。
【００２０】
ステップ１０４において、前記判断結果がトリガーすると確定されると、前記現在の再生時点に対応する対話型アプリケーションのインタラクティブ情報に基づいて、対応する対話型アプリケーションを実行するようにユーザーに提示するためのリマインディング情報を生成する。
【００２１】
本開示の実施例において、前記各対話型アプリケーションのインタラクティブ情報は、マルチメディアビデオ再生デバイスから取得されてもよいし、前記マルチメディアビデオ再生デバイスが前記ウェアラブルデバイスに主動的に送信してもよい。前記取得または伝送の経路は、無線通信ネットワーク例えば、ＷＩＦＩ等であってもよい。
【００２２】
ここで、前記インタラクティブ情報は少なくとも対話型アプリケーションの識別子(例えば、ＩＤ)、対話型アプリケーションの再生時点を含み、その以外、対話型アプリケーションに関するプロファイル等の情報を含んでもよい。
【００２３】
１つの例示なものとして、前記ユーザー状態パラメータを監視することは、
第１監視命令を受信し、前記第１監視命令は、マルチメディアビデオ再生過程においてユーザー状態パラメータをリアルタイムに監視するように前記ウェアラブルデバイスに通知するために用いられ、前記第１監視命令に基づいて前記ユーザー状態パラメータを監視すること、
又は、
第２監視命令を受信し、前記第２監視命令は、予め設定された時間帯においてユーザー状態パラメータを監視するように前記ウェアラブルデバイスに通知するために用いられ、前記第２監視命令に基づいて前記ユーザー状態パラメータを監視することを含む。
【００２４】
ここで、前記ウェアラブルデバイスは、マルチメディアビデオ再生開始時にユーザー状態パラメータの監視モードを起動し、前記マルチメディアビデオの再生が完了するまで監視を行ってもよい。例えば、マルチメディアビデオ再生デバイスがマルチメディアビデオの再生を開始するときに、監視を開始するように前記ウェアラブルデバイスに通知し、再生完了するまで監視を行い、又は、前記ウェアラブルデバイスの消費電力をさらに低減させるために、マルチメディアビデオ再生デバイスが所定時間帯で監視を行うように前記ウェアラブルデバイスに通知してもよく、前記所定時間帯は、前記各対話型アプリケーションの再生時点に近い時点であってもよく、例えば、対話型アプリケーションに対応する再生時点の２０分前から再生時点完了するまで監視を行う。
【００２５】
本実施例において、前記ユーザー状態パラメータと受信された予め設定された条件に基づいて、前記現在の再生時点に対応する対話型アプリケーションをトリガーするかどうかを判断することは、
前記予め設定された条件に基づいて、監視する前記ユーザー状態パラメータを解析することと、
前記ユーザー状態パラメータによって示されるマルチメディアビデオに対するユーザーの関心度が既定値（ｐｒｅｓｅｔ  ｖａｌｕｅ）以上であると確定された場合、前記現在の再生時点に対応する対話型アプリケーションをトリガーすることと、
前記ユーザー状態パラメータによって示されるマルチメディアビデオに対するユーザーの関心度が既定値より小さいと確定された場合、前記マルチメディアビデオの再生が完了するまでユーザー状態パラメータを継続して監視することとを含む。
【００２６】
本開示の実施例において、前記ユーザー状態パラメータは、心拍数、血圧等の１つ以上のパラメータを含んでもよい。
【００２７】
例示的に、前記ユーザー状態パラメータが心拍数であり、前記予め設定された条件として、心拍数がその前の５分間の心拍数の平均値と比べて１５％を超える場合、その前の５分間における各時点の心拍数を抽出し、これらの値の平均値を求め、現在時点のユーザー状態パラメータを前記平均値と比べ、その平均値の１５％を超える場合(ユーザーがマルチメディアビデオに対する関心度が既定値より高い)、前記現在の再生時点に対応する対話型アプリケーションをトリガーし、そうでない場合、前記マルチメディアビデオの再生が完了するまでユーザー状態パラメータを継続して監視する。
【００２８】
本開示の実施例において、前記現在の再生時点に対応する対話型アプリケーションのインタラクティブ情報に基づいて、第１リマインディング情報を生成することは、
現在の再生時点を確定することと、
前記取得された各対話型アプリケーションのインタラクティブ情報から、当該再生時点に対応する対話型アプリケーションのインタラクティブ情報を確定することと、
前記インタラクティブ情報に基づいて第１リマインディング情報を生成し、前記第１リマインディング情報が前記ウェアラブルデバイスの表示インターフェースに表示されることとを含む。
【００２９】
例示的に、前記ウェアラブルデバイスは前記インタラクティブ情報に基づいて、インタラクティブなリマインディング又は文字によって表示される第１リマインディング情報を生成し、前記ウェアラブルデバイス、例えばスマートウォッチのインタフェースに表示される。
【００３０】
本開示の実施例は、また、対話型アプリケーションのトリガー方法を提供してマルチメディアビデオ再生デバイスに応用し、図２に示すように、当該方法は、ステップ２０１〜ステップ２０４を含む。
【００３１】
ステップ２０１において、マルチメディアビデオに対応する各対話型アプリケーションのインタラクティブ情報を送信し、前記各対話型アプリケーションは、前記マルチメディアビデオの異なる再生時点にそれぞれ対応する。
【００３２】
ステップ２０２において、ユーザー状態パラメータに対応する予め設定された条件を送信する。
【００３３】
ここで、前記予め設定された条件は、ウェアラブルデバイスが自分の測定により得られた前記ユーザー状態パラメータに基づいて、現在の再生時点に対応する対話型アプリケーションをトリガーするかどうかを判断するために用いられ、前記ユーザー状態パラメータは、現在時点で再生されているマルチメディアビデオに対するユーザーの関心度を示すために用いられる。
【００３４】
ステップ２０３において、現在の再生時点に対応する対話型アプリケーションの識別子を受信し、前記識別子は、前記ウェアラブルデバイスが前記対話型アプリケーションをトリガーすると判定した場合に送信されるものである。
【００３５】
ステップ２０４において、前記識別子に対応する対話型アプリケーションのインタラクティブ情報に基づいて第２リマインディング情報を生成して、対応する対話型アプリケーションを実行するようにユーザーに提示する。
【００３６】
ここで、前記２０１とステップ２０２は、順番に実行されてもよいし、当該２つのステップ同時に実行されてもよく、即ち、前記インタラクティブ情報と前記予め設定された条件が同時に送信されてもよい。
【００３７】
ここで、マルチメディアビデオ再生デバイスは、対話型アプリケーションプラットフォームでマルチメディアビデオに対応する各対話型アプリケーションのインタラクティブ情報を予め要求してから、例えば前記ウェアラブルデバイスに送信してもよい。前記予め設定された条件は、前記対話型アプリケーションプラットフォームによって予め設定され、前記インタラクティブ情報とともに前記マルチメディアビデオ再生デバイスに送信され、マルチメディアビデオ再生デバイスを介して前記ウェアラブルデバイスに送信されてもよい。
【００３８】
例示的に、前記ウェアラブルデバイスは、対話型アプリケーションをトリガーすると確定した場合、現在の再生時点に対応する対話型アプリケーションの識別子、例えば対話型アプリケーションＩＤを前記マルチメディアビデオ再生デバイスに送信し、前記マルチメディアビデオ再生デバイスは、前記識別子に基づいて、前記対話型アプリケーションプラットフォームから送信された各対話型アプリケーションのインタラクティブ情報から前記識別子に対応する対話型アプリケーションのインタラクティブ情報を検索する。
【００３９】
本開示の実施例において、前記識別子に対応する対話型アプリケーションのインタラクティブ情報に基づいて、第２リマインディング情報を生成することは、
前記識別子に対応する対話型アプリケーションのインタラクティブ情報を確定することと、
前記インタラクティブ情報に基づいて第２リマインディング情報を生成し、前記第２リマインディング情報が前記マルチメディアビデオ再生デバイスの表示インタフェースに表示されることとを含む。
【００４０】
例示的に、前記マルチメディアビデオ再生デバイスは、前記インタラクティブ情報に基づいて、インタラクティブなリマインディング又は文字によって表示される第２リマインディング情報を生成し、前記マルチメディアビデオ再生デバイス、例えばテレビ又はインテリジェントセットトップボックスのインタフェースに表示される。
【００４１】
以上のように、本開示の実施例において、ウェアラブルデバイスは、ユーザーがマルチメディアビデオを視聴する時のユーザー状態パラメータを監視し、ユーザー状態パラメータが予め設定された条件を満たす場合、前記マルチメディアビデオに対応する対話型アプリケーションを当該ユーザーに提示することで、インタラクティブなリマインディング又は文字が頻繁に現れてユーザーのビデオ視聴過程に影響を与えることを回避することができ、当然、インタラクティブなコンテンツに興味がない他のユーザーへの影響も低減させる
なお、本開示の実施例において、前記ウェアラブルデバイスがネットワーク側のプラットフォームやマルチメディアビデオ再生デバイスと頻繁に通信してユーザー状態パラメータを送受信する必要がなく、ウェアラブルデバイスによって対話型アプリケーションをトリガーするかどうかを決定することで、ウェアラブルデバイスの消費電力を低減することができる
本開示の実施例は、また、ウェアラブルデバイスを提供し、図３に示すように、当該デバイス３０は、取得モジュール３０１、監視モジュール３０２、判断モジュール３０３、及び第１リマインディングモジュール３０４を含む。
【００４２】
取得モジュール３０１は、マルチメディアビデオに対応する各対話型アプリケーションのインタラクティブ情報を取得するように構成され、前記各対話型アプリケーションは、前記マルチメディアビデオの異なる再生時点にそれぞれ対応する。
【００４３】
監視モジュール３０２は、ユーザー状態パラメータを監視するように構成され、前記ユーザー状態パラメータは、現在時点で再生されているマルチメディアビデオに対するユーザーの関心度を示すために用いられる。
【００４４】
判断モジュール３０３は、前記ユーザー状態パラメータと受信された予め設定された条件に基づいて、前記現在の再生時点に対応する対話型アプリケーションをトリガーするかどうかを判断するように構成される。
【００４５】
第１リマインディングモジュール３０４は、前記判断結果がトリガーすると確定されると、ユーザーが対応する対話型アプリケーションを実行するように提示するために、前記現在の再生時点に対応する対話型アプリケーションのインタラクティブ情報に基づいて、第１リマインディング情報を生成するように構成される。
【００４６】
本開示の実施例において、前記各対話型アプリケーションのインタラクティブ情報は、マルチメディアビデオ再生デバイスから取得されてもよいし、前記マルチメディアビデオ再生デバイスが前記ウェアラブルデバイスに主動的に送信してもよい。前記取得または伝送の経路は、無線通信ネットワーク例えば、ＷＩＦＩ等であってもよい。
【００４７】
ここで、前記インタラクティブ情報は少なくとも対話型アプリケーションの識別子(例えば、ＩＤ)、対話型アプリケーションの再生時点を含み、その以外、対話型アプリケーションに関するプロファイル等の情報を含んでもよい。
【００４８】
１つの例示なものとして、図４に示すように、前記監視モジュール３０２は、受信ユニット３０２１及び監視ユニット３０２２を含む。
【００４９】
受信ユニット３０２１は、第１監視命令を受信し、または、第２監視命令を受信するように構成され、前記第１監視命令は、マルチメディアビデオ再生過程においてユーザー状態パラメータをリアルタイムに監視するように前記ウェアラブルデバイスに通知するために用いられ、前記第２監視命令は、予め設定された時間帯においてユーザー状態パラメータを監視するように前記ウェアラブルデバイスに通知するために用いられる。
【００５０】
監視ユニット３０２２は、前記第１監視命令に基づいて前記ユーザー状態パラメータを監視し、又は、前記第２監視命令に基づいて前記ユーザー状態パラメータを監視するように構成される。
【００５１】
ここで、前記ウェアラブルデバイスは、マルチメディアビデオ再生開始時にユーザー状態パラメータの監視モードを起動し、前記マルチメディアビデオの再生が完了するまで監視を行ってもよい。例えば、マルチメディアビデオ再生デバイスがマルチメディアビデオの再生が開始する時に前記ウェアラブルデバイスに監視開始を通知し、再生完了まで監視を行い、又は、前記ウェアラブルデバイスの消費電力をさらに低減するために、マルチメディアビデオ再生デバイスが前記ウェアラブルデバイスに所定時間帯で監視を行うことを通知してもよく、前記所定時間帯は、前記各対話型アプリケーションの再生時点に近い時点であってもよく、例えば、対話型アプリケーションに対応する再生時点の２０分前から再生時点まで監視を行う。
【００５２】
本実施例において、図５に示すように、前記判断モジュール３０３は、解析ユニット３０３１及び判定ユニット３０３２を含む。
【００５３】
解析ユニット３０３１は、前記予め設定された条件に基づいて、監視された前記ユーザー状態パラメータを解析するように構成される。
【００５４】
判定ユニット３０３２は、前記ユーザー状態パラメータによって示されるマルチメディアビデオに対するユーザーの関心度が既定値以上であることを確定した場合、前記現在の再生時点に対応する対話型アプリケーションをトリガーし、前記ユーザー状態パラメータによって示されるマルチメディアビデオに対するユーザーの関心度が既定値未満であることを確定した場合、前記マルチメディアビデオの再生が完了するまでユーザー状態パラメータを継続して監視するように構成される。
【００５５】
本開示の実施例において、前記ユーザー状態パラメータは、心拍数、血圧等の１つ以上のパラメータを含んでもよい。
【００５６】
例示的に、前記ユーザー状態パラメータが心拍数であり、前記予め設定された条件として、心拍数がその前の５分間の心拍数の平均値と比べて１５％を超える場合、その前の５分間における各時点の心拍数を抽出し、これらの値の平均値を求め、現在時点のユーザー状態パラメータを前記平均値と比べ、その平均値の１５％を超える場合(ユーザーがマルチメディアビデオに対する関心度が既定値より高い)、前記現在の再生時点に対応する対話型アプリケーションをトリガーし、そうでない場合、前記マルチメディアビデオの再生が完了するまでユーザー状態パラメータを継続して監視する。
【００５７】
本開示の実施例において、図６に示すように、前記第１リマインディングモジュール３０４は、第１確定ユニット３０４１及び第１生成ユニット３０４２を含む。
【００５８】
第１確定ユニット３０４１は、現在の再生時点を確定し、前記取得された各対話型アプリケーションのインタラクティブ情報から、当該再生時点に対応する対話型アプリケーションのインタラクティブ情報を確定するように構成される。
【００５９】
第１生成ユニット３０４２は、前記インタラクティブ情報に基づいて第１リマインディング情報を生成し、前記第１リマインディング情報が前記ウェアラブルデバイスの表示インターフェースに表示されるように構成される。
【００６０】
例示的に、前記ウェアラブルデバイスは、前記インタラクティブ情報に基づいて、インタラクティブなリマインディング又は文字によって表示される第１リマインディング情報を生成し、前記ウェアラブルデバイス、例えばスマートウォッチのインタフェースに表示される。
【００６１】
本開示の実施例は、また、マルチメディアビデオ再生デバイスを提供し、図７に示すように、前記デバイス７０は、送信モジュール７０１、受信モジュール７０２及び第２リマインディングモジュール７０３を含む。
【００６２】
送信モジュール７０１は、マルチメディアビデオに対応する各対話型アプリケーションのインタラクティブ情報を送信し、前記各対話型アプリケーションは、前記マルチメディアビデオの異なる再生時点にそれぞれ対応し、ユーザー状態パラメータに対応する予め設定された条件を送信するように構成される。
【００６３】
ここで、前記予め設定された条件は、ウェアラブルデバイスが自分の測定により得られた前記ユーザー状態パラメータに基づいて、現在の再生時点に対応する対話型アプリケーションをトリガーするかどうかを判断するために用いられ、前記ユーザー状態パラメータは、現在時点で再生されているマルチメディアビデオに対するユーザーの関心度を示すために用いられる。
【００６４】
受信モジュール７０２は、現在の再生時点に対応する対話型アプリケーションの識別子を受信するように構成される。
【００６５】
第２リマインディングモジュール７０３は、前記識別子に対応する対話型アプリケーションのインタラクティブ情報に基づいて、対応する対話型アプリケーションを実行するようにユーザーに提示するための第２リマインディング情報を生成するように構成され、前記識別子は、前記ウェアラブルデバイスが前記対話型アプリケーションをトリガーすると判定した場合に送信されるものである。
【００６６】
本開示の実施例において、前記インタラクティブ情報と前記予め設定された条件は順番に送信されてもよいし、同時に送信されてもよい。
【００６７】
ここで、マルチメディアビデオ再生デバイスは、対話型アプリケーションプラットフォームでマルチメディアビデオに対応する各対話型アプリケーションのインタラクティブ情報を予め要求してから、例えば前記ウェアラブルデバイスに送信してもよい。前記予め設定された条件は、前記対話型アプリケーションプラットフォームによって予め設定され、前記インタラクティブ情報とともに前記マルチメディアビデオ再生デバイスに送信され、マルチメディアビデオ再生デバイスから前記ウェアラブルデバイスに送信されてもよい。
【００６８】
例示的に、前記ウェアラブルデバイスは、対話型アプリケーションをトリガーすると確定した場合、現在の再生時点に対応する対話型アプリケーションの識別子、例えば対話型アプリケーションＩＤを前記マルチメディアビデオ再生デバイスに送信し、前記マルチメディアビデオ再生デバイスは、前記識別子に基づいて、前記対話型アプリケーションプラットフォームから送信された各対話型アプリケーションのインタラクティブ情報から前記識別子に対応する対話型アプリケーションのインタラクティブ情報を検索する。
【００６９】
本開示の実施例において、図８に示すように、前記第２リマインディングモジュール７０３は、第２確定ユニット７０３１及び第２生成ユニット７０３２を含む。
【００７０】
第２確定ユニット７０３１は、前記識別子に対応する対話型アプリケーションのインタラクティブ情報を確定するように構成される。
【００７１】
第２生成ユニット７０３２は、前記インタラクティブ情報に基づいて第２リマインディング情報を生成し、前記第２リマインディング情報が前記マルチメディアビデオ再生デバイスの表示インタフェースに表示されるように構成される。
【００７２】
例示的に、前記マルチメディアビデオ再生デバイスは、前記インタラクティブ情報に基づいて、インタラクティブなリマインディング又は文字によって表示される第２リマインディング情報を生成し、前記マルチメディアビデオ再生デバイス、例えばテレビ又はインテリジェントセットトップボックスのインタフェースに表示される。
【００７３】
以下、１つの具体的な応用シーンを使用して本開示に係る発明を説明する。
【００７４】
図９は応用シーンの対話型アプリケーションのトリガー方法のフローチャートであり、図９に示すように、当該方法はステップ９０１〜ステップ９０９を含む。
【００７５】
ステップ９０１において、インテリジェントセットトップボックス/テレビとスマートウォッチは、ローカルエリアネットワークを介してマルチスクリーン対話型接続（ｉｎｔｅｒａｃｔｉｖｅ  ｃｏｎｎｅｃｔｉｏｎ）を確立する。
【００７６】
ステップ９０２において、インテリジェントセットトップボックス/テレビにおけるプレーヤーは、１つの番組ビデオを再生する。
【００７７】
ステップ９０３において、インテリジェントセットトップボックス/テレビにおけるプレーヤーは、番組ビデオ情報をインタラクティブ処理モジュールに同期させる。
【００７８】
ステップ９０４において、インテリジェントセットトップボックス/テレビにおけるインタラクティブ処理モジュールは、対話型アプリケーションプラットフォームにインタラクティブ情報要求を送信する。
【００７９】
ステップ９０５において、対話型アプリケーションプラットフォームは、番組ビデオにおける対話型アプリケーションに対応するインタラクティブ情報を返信し、前記インタラクティブ情報は、対話型アプリケーションＩＤ、トリガー条件、対話型アプリケーションプロファイル等の情報を含む。
【００８０】
ステップ９０６において、インテリジェントセットトップボックス/テレビにおけるインタラクティブ処理モジュールは、トリガー条件とインタラクティブ情報をスマートウォッチにおけるインタラクティブ処理モジュールに同期させる。
【００８１】
ステップ９０７において、スマートウォッチにおけるインタラクティブ処理モジュールは、インタラクティブ情報が現れる時点とトリガー条件に基づいてユーザー状態パラメータの監視命令を設定する。
【００８２】
ステップ９０８において、スマートウォッチにおけるインタラクティブ処理モジュールは、監視命令に基づいてユーザー状態パラメータがトリガー条件を満たすかどうかを監視し、ユーザー状態パラメータがトリガー条件に合うことを確定する。
【００８３】
ステップ９０９において、インテリジェントセットトップボックス/テレビにおけるインタラクティブ処理モジュールは、ビデオ再生インタフェースの右下にインタラクティブなリマインディングをポップアップする。
【００８４】
ここで、前記インタラクティブなリマインディングは、文字またはピクチャの形態であってもよい。
【００８５】
以下、スマートウォッチ側及びインテリジェントセットトップボックス/テレビ側でインタラクティブ処理をそれぞれ説明する。
【００８６】
スマートウォッチ側でインタラクションを行うことは、ステップ９１０ａ〜ステップ９１３ａを含む。
【００８７】
ステップ９１０ａにおいて、スマートウォッチにおけるインタラクティブ処理モジュールは、対話型アプリケーションをユーザーに提示して、ユーザーを導いてスマートウォッsチのインタフェースでインタラクティブな操作を行う。
【００８８】
ステップ９１１ａにおいて、スマートウォッチにおけるインタラクティブ処理モジュールは、この時にトリガーされた対話型アプリケーションＩＤに基づいて、対話型アプリケーションページを要求する。
【００８９】
ステップ９１２ａにおいて、スマートウォッチにおけるインタラクティブ処理モジュールは、ユーザーがインタラクティブサービス操作を行うように、スマートウォッチのインタフェースにインタラクティブページを表示する。
【００９０】
ステップ９１３ａにおいて、スマートウォッチにおけるインタラクティブ処理モジュールは、インタラクティブサービスリンクに基づいて、第三者サイトにジャンプし、対応するインタラクティブサービスを実行する。
【００９１】
インテリジェントセットトップボックス/テレビ側でインタラクションを行うことは、ステップ９１０ｂ〜ステップ９１２ｂを含む。
【００９２】
ステップ９１０ｂにおいて、スマートウォッチにおけるインタラクティブ処理モジュールは、現在の再生時点での対話型アプリケーションのＩＤをインテリジェントセットトップボックス/テレビにおけるインタラクティブ処理モジュールに同期させる。
【００９３】
ここで、ユーザー状態パラメータ等の情報を同期させ、インテリジェントセットトップボックス/テレビに表示されることで、柔軟性が強くなり、ユーザーが異なる体験を行うことができる。
【００９４】
ステップ９１１ｂにおいて、インテリジェントセットトップボックス/テレビにおけるインタラクティブ処理モジュールは、ユーザーがインタラクティブサービス操作を選択して行うように、インテリジェントセットトップボックス/テレビのディスプレイでインタラクティブページを表示する。
【００９５】
ステップ９１２ｂにおいて、インテリジェントセットトップボックス/テレビにおけるインタラクティブ処理モジュールは、インタラクティブサービスリンクに基づいて、第三者サイトにジャンプし、対応するインタラクティブサービスを実行する。
【００９６】
本開示の実施例において、ウェアラブルデバイスは、ユーザーのマルチメディアビデオを視聴する時のユーザー状態パラメータを監視し、ユーザー状態パラメータが予め設定された条件を満たす場合、前記マルチメディアビデオに対応する対話型アプリケーションを当該ユーザーに提示し、インタラクティブなリマインディング又は文字が頻繁に現れてユーザーのビデオ視聴過程に影響を与えることを回避することができ、当然、インタラクティブなコンテンツに興味がないユーザーへの影響も低減する。
【００９７】
なお、本開示の実施例において、前記ウェアラブルデバイスは、ネットワーク側のプラットフォームやマルチメディアビデオ再生デバイスと頻繁に通信してユーザー状態パラメータを送受信する必要がなく、ウェアラブルデバイスによって対話型アプリケーションをトリガーするかどうかを決定することで、ウェアラブルデバイスの消費電力を低減することができる。
【００９８】
当業者は、本開示の実施例により方法、システム、またはコンピュータープログラム製品を提供することを理解すべきである。そして、本開示に係る発明は、ハードウェア実施例、ソフトウェア実施例、またはハードウェアとソフトウェアとの組み合わせ実施例の形態であってもよい。さらに、本開示に係る発明は、コンピュータープログラムコードが含まれるコンピューター記憶可能媒体(ディスクメモリーや光メモリが含まれるが、これに限定されない)上で実行する１つ以上のコンピュータープログラム製品の形態であってもよい。
【００９９】
本開示に係る発明は、本開示の実施例の方法、デバイス(システム)、及びコンピュータープログラム製品のフォローチャート及び／又はブロック図に従って記述されたものである。コンピュータープログラム命令によってフォローチャート及び／又はブロック図のうちの各プロ―及び／又はブロック、以及フォローチャート及び／又はブロック図のうちのプロセス及び／又はブロックの組み合わせを実行することは理解すべきである。これらのコンピュータープログラム命令を汎用コンピューター、専用コンピュータ、組み込みプロセッサ又はその他のプログラム可能なデータ処理デバイスのプロセッサに提供して１つの機械を生成することで、コンピューター又はその他のプログラム可能なデータ処理デバイスのプロセッサが実行する命令によって、フローチャートの１つ以上のプロセス及び／又はブロック図の１つ以上のブロックによって指定される機能を実現するためのデバイスを生成する。
【０１００】
これらのコンピュータープログラム命令は、コンピューター又はその他のプログラム可能なデータ処理デバイスを特定動作方式で動作させるコンピュータ可読メモリに記憶されることで、当該コンピュータ可読メモリに記憶される命令によって命令デバイスを含む製品を生成し、当該命令デバイスは、フローチャートの１つ以上のプロセス及び／又はブロック図の１つ以上のブロックによって指定される機能を実現する。
【０１０１】
これらのコンピュータープログラム命令は、コンピューター又はその他のプログラム可能なデータ処理デバイスにロードされることで、コンピューター又はその他のプログラム可能なデータ処理デバイスで１セットの操作ステップを実行して、コンピューター処理を生成することで、コンピューター又はその他のプログラム可能なデータ処理デバイスによって実行する命令は、フローチャートの１つ以上のプロセス及び／又はブロック図の１つ以上のブロックによって指定される機能のステップを提供する。
【０１０２】
以上は本開示に係る発明の好ましい実施形態であり、当業者であれば、その要旨を逸脱しない範囲内で種々改良、変形して実施することが可能である、これらの改良、変形も本開示の保護範囲に含まれる。
【図１】
0006518387.tif 000002
【図２】
0006518387.tif 000003
【図３】
0006518387.tif 000004
【図４】
0006518387.tif 000005
【図５】
0006518387.tif 000006
【図６】
0006518387.tif 000007
【図７】
0006518387.tif 000008
【図８】
0006518387.tif 000009
【図９】
0006518387.tif 000010